(57)【特許請求の範囲】
【請求項１】
本体を含み、前記本体の中には貯水空間が設置され、前記貯水空間の左側にはファン空間が設置され、前記ファン空間と前記貯水空間とは入水空間によって連通され、前記ファン空間と前記貯水空間との間には水転化装置が設置され、
前記水転化装置は空気中の水分を凝結させることができ、前記水転化装置は前記ファン空間の右壁に固定的に装着されたファンモータを含み、前記ファンモータの左側にはファン軸が伝動可能に連結され、前記ファン軸の左側にはファンが固定的に設置され、前記ファン空間の左側には濾過板が固定的に設置され、前記ファン空間の上側には凝縮器が固定的に設置され、前記貯水空間の右壁には制御器が上下対称になるように固定的に設置され、前記貯水空間の頂壁には中空管が固定的に設置され、前記中空管の中には漂浮ブロックが摺動可能に連結され、前記漂浮ブロックの右側には前記制御器を感応できる触発器が固定的に設置され、
前記貯水空間の右側には伝動空間が設置され、前記伝動空間の上側には歯車空間が設置され、前記伝動空間の頂壁には昇降空間が設置され、前記昇降空間の上側には液圧空間が設置され、前記液圧空間の上下壁は連通空間によって連通され、前記連通空間と前記歯車空間との間には防雨装置が設置され、前記防雨装置は雨天において、遠心力を利用して雨水が直接に前記本体に落ちることを避けられ、前記伝動空間の下側には傘歯車空間が設置され、前記傘歯車空間の前側には開口空間が設置され、前記貯水空間の下側には置き空間が設置され、前記伝動空間と前記傘歯車空間との間には拭き装置が設置され、前記拭き装置はカメラのレンズを拭いてきれいにすることができ、
前記防雨装置は前記連通空間の中に固定的に装着された液圧モータを含み、前記液圧空間の内壁にはＴ型板が摺動可能に連結され、前記Ｔ型板は前記液圧空間の底壁と前記昇降空間の頂壁との間に摺動可能に連結され、前記Ｔ型板の下側には前記昇降空間の内壁と摺動可能に連結されたモータブロックが固定的に設置され、前記モータブロックの中には伝動モータが固定的に設置され、前記伝動モータの下側にはモータ軸が伝動可能に連結され、前記モータ軸の下側には第一歯車が固定的に設置され、前記伝動空間の頂壁と前記歯車空間の底壁との間には貫通軸が回転可能に連結され、前記貫通軸の下側には前記第一歯車と噛み合える第二歯車が固定的に設置され、前記貫通軸の上側には第三歯車が固定的に設置され、前記歯車空間の上下壁には歯車軸が回転可能に連結され、前記歯車軸は上方へ前記歯車空間の頂壁を貫通し、かつ前記本体の頂面と回転可能に連結され、前記歯車軸の下側には前記第三歯車と噛み合った第四歯車が固定的に設置され、前記歯車軸の上側には回転板が固定的に設置され、
前記拭き装置は前記伝動空間の底壁と前記傘歯車空間の頂壁との間に回転可能に連結された第二貫通軸を含み、前記第二貫通軸の上側には前記第一歯車と噛み合える第五歯車が固定的に設置され、前記第二貫通軸の下側には第一傘歯車が固定的に設置され、前記傘歯車空間の前後壁には傘歯車軸が回転可能に連結され、前記傘歯車軸は前方へ前記傘歯車空間の前壁を貫通して前記開口空間の中に延在し、かつ前記開口空間の後壁と回転可能に連結され、前記傘歯車軸には前記第一傘歯車と噛み合った第二傘歯車が固定的に設置され、前記傘歯車軸の前側には偏心輪が固定的に設置され、前記置き空間の中にはカメラが固定的に設置され、前記開口空間の底壁には縦棒が固定的に設置され、前記縦棒には拭き棒がヒンジで連結され、前記拭き棒は前記置き空間の中にある前記カメラのレンズをきれいにすることができ、前記拭き棒と前記開口空間の底壁との間には復位ばねが連結され、
前記貯水空間と前記置き空間とは縦空間によって連通され、前記縦空間の中には電磁石空間が設置され、前記傘歯車空間の後壁には前記傘歯車軸と連結された動力発電機が固定的に設置され、前記電磁石空間の中には電磁石が前後対称になるように、かつ摺動可能に連結され、前記電磁石は前記縦空間を閉鎖でき、後側にある前記電磁石と前記動力発電機との間には電磁電線が連結され、
前記傘歯車軸が回転するとき、前記動力発電機は駆動されて発電し、そして後側にある前記電磁石を通電させ、
前記回転板の上側にはソーラーパネルが固定的に設置され、前記ソーラーパネルと前記ファンモータとの間にはファン電線が連結され、
前記本体の下側には環状空間が設置され、前記本体の下側には横棒が設置され、前記横棒には前記環状空間と摺動可能に連結された摺動板が固定的に設置され、前記横棒には回転モータが固定的に設置され、前記回転モータには前記本体の底面に固定的に設置された回転軸が伝動可能に連結され、
前記漂浮ブロックが最も下側に位置し、前記触発器と下側の前記制御器とが接触するとき、下側の前記制御器は前記ソーラーパネルと前記ファンモータとの間の前記ファン電線を作動させ、前記ソーラーパネルは前記ファンモータに給電し、前記ファン軸と前記ファンとは駆動されて回転し、同時に前記凝縮器は駆動されて作動し、空気中の水分を水に変え、水は前記入水空間を経由して前記貯水空間の中に入って貯蔵され、前記漂浮ブロックは前記貯水空間の中の水位変化につれ上昇し、前記触発器と上側の前記制御器とが接触したとき、前記ファン電線は停電され、前記凝縮器と前記ファンモータとは作動を止め、雨天時に、前記伝動モータを作動させ、前記モータ軸は駆動されて回転し、そして前記第二歯車と、前記貫通軸とは駆動されて回転し、さらに前記第三歯車は駆動されて回転し、さらに前記第四歯車と前記歯車軸とは駆動されて回転し、さらに前記回転板は駆動されて回転し、前記回転板に落下する雨水は遠心力によって周囲に飛ばされ、雨水がカメラに対する影響を減らし、普段使用において、カメラが環境によってホコリがついたとき、前記液圧モータを作動させ、前記液圧空間の底側にある作動油を上側に送り、そして前記Ｔ型板と前記モータブロックとは駆動されて降下し、さらに前記伝動モータと、前記モータ軸とは駆動されて降下し、そして前記第一歯車は前記第五歯車と噛み合い、前記第五歯車は回転し、前記第二貫通軸と、前記第一傘歯車とを駆動して回転させ、そして前記傘歯車軸と前記第二傘歯車とは駆動されて回転し、さらに前記偏心輪は駆動されて回転し、そして前記拭き棒は駆動されてレンズの表面を上方に拭き、きれいにし、事故を発見して撮影が必要にあるとき、前記回転モータを制御することで、前記回転軸を回転させ、そして前記本体は回転して各角度から撮影できることを特徴とする智能型路上情報採集装置。
【発明の詳細な説明】
【技術分野】
【０００１】
本願発明は智能交通分野を取り上げ、特に智能型路上情報採集装置に関わる。
【背景技術】
【０００２】
社会の発展につれ、交通分野において、人々の行為を制限と統一するため、様々な交通監視設備が設置されてきた。道路ライブカメラもその中の一つである。ライブカメラは一般的に、直接に横棒に固定的に装着されて、対応する車道の違反車両を撮影で捉える。しかし、既存するライブカメラはそのまま横棒に固定的に装着されているため、カメラの角度を調整することができなく、もし調整する必要があると、専門家の介入が必要になり、資金や労力の消耗が激しく、交通にも影響し、極めて不便である。また、既存するライブカメラは機能が単一で、一定時間使用すると、ホコリなどがつき、画質に響く、これもまた不便である。したがって、智能型路上情報採集装置を設計する必要がある。
【先行技術文献】
【特許文献】
【０００３】
【特許文献１】中国特許出願公開第１１０１３３７４４号明細書
【発明の概要】
【発明が解決しようとする課題】
【０００４】
智能型路上情報採集装置を設計し、上記問題を解決することを目的とする。
【課題を解決するための手段】
【０００５】
上記目的を可能にするため、以下の技術的解決策を提供する。
【０００６】
本願に記載の智能型路上情報採集装置は、本体を含み、前記本体の中には貯水空間が設置され、前記貯水空間の左側にはファン空間が設置され、前記ファン空間と前記貯水空間とは入水空間によって連通され、前記ファン空間と前記貯水空間との間には水転化装置が設置され、
前記水転化装置は空気中の水分を凝結させることができ、前記水転化装置は前記ファン空間の右壁に固定的に装着されたファンモータを含み、前記ファンモータの左側にはファン軸が伝動可能に連結され、前記ファン軸の左側にはファンが固定的に設置され、前記ファン空間の左側には濾過板が固定的に設置され、前記ファン空間の上側には凝縮器が固定的に設置され、前記貯水空間の右壁には制御器が上下対称になるように固定的に設置され、前記貯水空間の頂壁には中空管が固定的に設置され、前記中空管の中には漂浮ブロックが摺動可能に連結され、前記漂浮ブロックの右側には前記制御器を感応できる触発器が固定的に設置され、
前記貯水空間の右側には伝動空間が設置され、前記伝動空間の上側には歯車空間が設置され、前記伝動空間の頂壁には昇降空間が設置され、前記昇降空間の上側には液圧空間が設置され、前記液圧空間の上下壁は連通空間によって連通され、前記連通空間と前記歯車空間との間には防雨装置が設置され、前記防雨装置は雨天において、遠心力を利用して雨水が直接に前記本体に落ちることを避けられ、前記伝動空間の下側には傘歯車空間が設置され、前記傘歯車空間の前側には開口空間が設置され、前記貯水空間の下側には置き空間が設置され、前記伝動空間と前記傘歯車空間との間には拭き装置が設置され、前記拭き装置はカメラのレンズを拭いてきれいにすることができる。
【０００７】
好適な技術的解決策として、前記防雨装置は前記連通空間の中に固定的に装着された液圧モータを含み、前記液圧空間の内壁にはＴ型板が摺動可能に連結され、前記Ｔ型板は前記液圧空間の底壁と前記昇降空間の頂壁との間に摺動可能に連結され、前記Ｔ型板の下側には前記昇降空間の内壁と摺動可能に連結されたモータブロックが固定的に設置され、前記モータブロックの中には伝動モータが固定的に設置され、前記伝動モータの下側にはモータ軸が伝動可能に連結され、前記モータ軸の下側には第一歯車が固定的に設置され、前記伝動空間の頂壁と前記歯車空間の底壁との間には貫通軸が回転可能に連結され、前記貫通軸の下側には前記第一歯車と噛み合える第二歯車が固定的に設置され、前記貫通軸の上側には第三歯車が固定的に設置され、前記歯車空間の上下壁には歯車軸が回転可能に連結され、前記歯車軸は上方へ前記歯車空間の頂壁を貫通し、かつ前記本体の頂面と回転可能に連結され、前記歯車軸の下側には前記第三歯車と噛み合った第四歯車が固定的に設置され、前記歯車軸の上側には回転板が固定的に設置されている。
【０００８】
好適な技術的解決策として、前記拭き装置は前記伝動空間の底壁と前記傘歯車空間の頂壁との間に回転可能に連結された第二貫通軸を含み、前記第二貫通軸の上側には前記第一歯車と噛み合える第五歯車が固定的に設置され、前記第二貫通軸の下側には第一傘歯車が固定的に設置され、前記傘歯車空間の前後壁には傘歯車軸が回転可能に連結され、前記傘歯車軸は前方へ前記傘歯車空間の前壁を貫通して前記開口空間の中に延在し、かつ前記開口空間の後壁と回転可能に連結され、前記傘歯車軸には前記第一傘歯車と噛み合った第二傘歯車が固定的に設置され、前記傘歯車軸の前側には偏心輪が固定的に設置され、前記置き空間の中にはカメラが固定的に設置され、前記開口空間の底壁には縦棒が固定的に設置され、前記縦棒には拭き棒がヒンジで連結され、前記拭き棒は前記置き空間の中にある前記カメラのレンズをきれいにすることができ、前記拭き棒と前記開口空間の底壁との間には復位ばねが連結されている。
【０００９】
好適な技術的解決策として、前記貯水空間と前記置き空間とは縦空間によって連通され、前記縦空間の中には電磁石空間が設置され、前記傘歯車空間の後壁には前記傘歯車軸と連結された動力発電機が固定的に設置され、前記電磁石空間の中には電磁石が前後対称になるように、かつ摺動可能に連結され、前記電磁石は前記縦空間を閉鎖でき、後側にある前記電磁石と前記動力発電機との間には電磁電線が連結され、
前記傘歯車軸が回転するとき、前記動力発電機は駆動されて発電し、そして後側にある前記電磁石を通電させる。
【００１０】
好適な技術的解決策として、前記回転板の上側にはソーラーパネルが固定的に設置され、前記ソーラーパネルと前記ファンモータとの間にはファン電線が連結されている。
【００１１】
好適な技術的解決策として、前記本体の下側には環状空間が設置され、前記本体の下側には横棒が設置され、前記横棒には前記環状空間と摺動可能に連結された摺動板が固定的に設置され、前記横棒には回転モータが固定的に設置され、前記回転モータには前記本体の底面に固定的に設置された回転軸が伝動可能に連結されている。
【発明の効果】
【００１２】
本発明は以下のプラス効果を有する：伝統的なライブカメラに対して、本願発明は拭き装置を加え、ホコリの多い都会でも、カメラを拭くことができ、全時間帯において良き画質を維持でき、また、本願発明は水転化装置を通じて、ソーラーエネルギーによって空気中の水分を凝結させ、レンズを拭くのに使われる水に転化し、エネルギーの自給自足を可能にし、さらに、水分が十分に溜め込んた時、自動的に貯蔵を止め、エネルギーの浪費を避け、他にも、本願発明は遠心防水装置を通じて、遠心力を利用して雨天には、雨水を周囲に飛ばし、雨天においても正常に撮影できる。
【図面の簡単な説明】
【００１３】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の全体断面の正面構成略図
【図２】図２は図１における傘歯車軸の前側の部分断面図
【図３】図３は図１におけるＡ―Ａ方向からの断面図
【図４】図４は図１におけるＢ―Ｂ方向からの断面図
【発明を実施するための形態】
【００１５】
図１〜図４を合わせ、本願に記載の智能型路上情報採集装置は、本体２０を含み、前記本体２０の中には貯水空間２１が設置され、前記貯水空間２１の左側にはファン空間２３が設置され、前記ファン空間２３と前記貯水空間２１とは入水空間２２によって連通され、
前記ファン空間２３と前記貯水空間２１との間には水転化装置１０１が設置され、前記水転化装置１０１は空気中の水分を凝結させることができ、前記水転化装置１０１は前記ファン空間２３の右壁に固定的に装着されたファンモータ２４を含み、前記ファンモータ２４の左側にはファン軸２７が伝動可能に連結され、前記ファン軸２７の左側にはファン２６が固定的に設置され、前記ファン空間２３の左側には濾過板２５が固定的に設置され、前記ファン空間２３の上側には凝縮器２８が固定的に設置され、前記貯水空間２１の右壁には制御器３７が上下対称になるように固定的に設置され、前記貯水空間２１の頂壁には中空管３６が固定的に設置され、前記中空管３６の中には漂浮ブロック６２が摺動可能に連結され、前記漂浮ブロック６２の右側には前記制御器３７を感応できる触発器６３が固定的に設置され、前記貯水空間２１の右側には伝動空間４８が設置され、前記伝動空間４８の上側には歯車空間３１が設置され、前記伝動空間４８の頂壁には昇降空間７２が設置され、前記昇降空間７２の上側には液圧空間３９が設置され、前記液圧空間３９の上下壁は連通空間４１によって連通され、前記連通空間４１と前記歯車空間３１との間には防雨装置１０２が設置され、前記防雨装置１０２は雨天において、遠心力を利用して雨水が直接に前記本体２０に落ちることを避けられ、前記伝動空間４８の下側には傘歯車空間５２が設置され、前記傘歯車空間５２の前側には開口空間６４が設置され、前記貯水空間２１の下側には置き空間５７が設置され、前記伝動空間４８と前記傘歯車空間５２との間には拭き装置１０３が設置され、前記拭き装置１０３はカメラのレンズを拭いてきれいにすることができる。
【００１６】
また、一つの実施例において、
前記防雨装置１０２は前記連通空間４１の中に固定的に装着された液圧モータ４２を含み、前記液圧空間３９の内壁にはＴ型板４０が摺動可能に連結され、前記Ｔ型板４０は前記液圧空間３９の底壁と前記昇降空間７２の頂壁との間に摺動可能に連結され、前記Ｔ型板４０の下側には前記昇降空間７２の内壁と摺動可能に連結されたモータブロック４３が固定的に設置され、前記モータブロック４３の中には伝動モータ４４が固定的に設置され、前記伝動モータ４４の下側にはモータ軸４５が伝動可能に連結され、前記モータ軸４５の下側には第一歯車４６が固定的に設置され、前記伝動空間４８の頂壁と前記歯車空間３１の底壁との間には貫通軸３８が回転可能に連結され、前記貫通軸３８の下側には前記第一歯車４６と噛み合える第二歯車４７が固定的に設置され、前記貫通軸３８の上側には第三歯車３５が固定的に設置され、前記歯車空間３１の上下壁には歯車軸３２が回転可能に連結され、前記歯車軸３２は上方へ前記歯車空間３１の頂壁を貫通し、かつ前記本体２０の頂面と回転可能に連結され、前記歯車軸３２の下側には前記第三歯車３５と噛み合った第四歯車３４が固定的に設置され、前記歯車軸３２の上側には回転板２９が固定的に設置され、
雨天になると、前記伝動モータ４４を作動させ、前記モータ軸４５は駆動されて回転し、そして前記第二歯車４７と前記貫通軸３８とを駆動して回転させ、さらに前記第三歯車３５は駆動されて回転し、前記第四歯車３４と前記歯車軸３２とを駆動して回転させ、そして前記回転板２９は駆動されて回転し、前記回転板２９に落下する雨水は遠心力によって周囲に飛ばされ、こうすることで、雨水がカメラに対する影響を抑える。
【００１７】
また、一つの実施例において、
前記拭き装置１０３は前記伝動空間４８の底壁と前記傘歯車空間５２の頂壁との間に回転可能に連結された第二貫通軸５０を含み、前記第二貫通軸５０の上側には前記第一歯車４６と噛み合える第五歯車４９が固定的に設置され、前記第二貫通軸５０の下側には第一傘歯車５４が固定的に設置され、前記傘歯車空間５２の前後壁には傘歯車軸５３が回転可能に連結され、前記傘歯車軸５３は前方へ前記傘歯車空間５２の前壁を貫通して前記開口空間６４の中に延在し、かつ前記開口空間６４の後壁と回転可能に連結され、前記傘歯車軸５３には前記第一傘歯車５４と噛み合った第二傘歯車５１が固定的に設置され、前記傘歯車軸５３の前側には偏心輪６８が固定的に設置され、前記置き空間５７の中にはカメラ５８が固定的に設置され、前記開口空間６４の底壁には縦棒６６が固定的に設置され、前記縦棒６６には拭き棒６５がヒンジで連結され、前記拭き棒６５は前記置き空間５７の中にある前記カメラ５８のレンズをきれいにすることができ、前記拭き棒６５と前記開口空間６４の底壁との間には復位ばね６７が連結され、
カメラのレンズを拭く必要があるとき、前記液圧空間４２を作動させ、前記液圧空間３９の底側にある作動油を上側に送り、そして前記Ｔ型板４０と、前記モータ軸４３とは駆動されて降下し、前記伝動モータ４４と、前記モータ軸４５とを駆動して降下させ、そして前記第一歯車４６は前記第五歯車４９と噛み合い、さらに前記第五歯車４９は回転し、前記第二貫通軸５０と、前記第一傘歯車５４とを駆動して回転させ、そして前記傘歯車軸５３と、前記第二傘歯車５１とは駆動されて回転し、さらに前記偏心輪６８は駆動されて回転し、そして前記拭き棒６５は駆動されてレンズの表面を上下に拭き、きれいにする。
【００１８】
また、一つの実施例において、
前記貯水空間２１と前記置き空間５７とは縦空間７３によって連通され、前記縦空間７３の中には電磁石空間６１が設置され、前記傘歯車空間５２の後壁には前記傘歯車軸５３と連結された動力発電機６９が固定的に設置され、前記電磁石空間６１の中には電磁石７１が前後対称になるように、かつ摺動可能に連結され、前記電磁石７１は前記縦空間７３を閉鎖でき、後側にある前記電磁石７１と前記動力発電機６９との間には電磁電線７０が連結され、
前記傘歯車軸５３が回転するとき、前記動力発電機６９は駆動されて発電し、そして後側にある前記電磁石７１を通電させ、二つの前記電磁石７１を離れさせることで、前記縦空間７３を開けられ、そして前記貯水空間２１の中の水は流れ落ちてレンズを洗浄することに便利を与える。  
【００１９】
また、一つの実施例において、
前記回転板２９の上側にはソーラーパネル３３が固定的に設置され、前記ソーラーパネル３３と前記ファンモータ２４との間にはファン電線３０が連結され、
前記ソーラーパネル３３は前記ファンモータ２４に給電できる。
【００２０】
また、一つの実施例において、
前記本体２０の下側には環状空間６０が設置され、前記本体２０の下側には横棒７４が設置され、前記横棒７４には前記環状空間６０と摺動可能に連結された摺動板５９が固定的に設置され、前記横棒７４には回転モータ５５が固定的に設置され、前記回転モータ５５には前記本体２０の底面に固定的に設置された回転軸５６が伝動可能に連結され、
需要に応じてカメラの角度を自在に調整できる。
【００２１】
はじめに、漂浮ブロック６２は最も下側に位置し、触発器６３と下側の制御器３７とが接触し、Ｔ型板４０とモータブロック４３とが最も上側に位置し、第一歯車４６と第二歯車４７とは噛み合い、二つの電磁石７１は互いを吸引して縦空間７３を閉じている。
【００２２】
漂浮ブロック６２が最も下側に位置し、触発器６３と下側の制御器３７とが接触するとき、下側の制御器３７はソーラーパネル３３とファンモータ２４との間のファン電線３０を作動させ、ソーラーパネル３３はファンモータ２４に給電し、ファン軸２７とファン２６とは駆動されて回転し、同時に凝縮器２８は駆動されて作動し、空気中の水分を水に変え、水は入水空間２２を経由して貯水空間２１の中に入って貯蔵され、漂浮ブロック６２は貯水空間２１の中の水位変化につれ上昇し、触発器６３と上側の制御器３７とが接触したとき、ファン電線３０は停電され、凝縮器２８とファンモータ２４とは作動を止め、雨天時に、伝動モータ４４を作動させ、モータ軸４５は駆動されて回転し、そして第二歯車４７と、貫通軸３８とは駆動されて回転し、さらに第三歯車３５は駆動されて回転し、さらに第四歯車３４と歯車軸３２とは駆動されて回転し、さらに回転板２９は駆動されて回転し、回転板２９に落下する雨水は遠心力によって周囲に飛ばされ、雨水がカメラに対する影響を減らし、普段使用において、カメラが環境によってホコリがついたとき、液圧モータ４２を作動させ、液圧空間３９の底側にある作動油を上側に送り、そしてＴ型板４０とモータブロック４３とは駆動されて降下し、さらに伝動モータ４４と、モータ軸４５とは駆動されて降下し、そして第一歯車４６は第五歯車４９と噛み合い、第五歯車４９は回転し、第二貫通軸５０と、第一傘歯車５４とを駆動して回転させ、そして傘歯車軸５３と第二傘歯車５１とは駆動されて回転し、さらに偏心輪６８は駆動されて回転し、そして拭き棒６６は駆動されてレンズの表面を上方に拭き、きれいにし、事故を発見して撮影が必要にあるとき、回転モータ５５を制御することで、回転軸５６を回転させ、そして本体２０は回転して各角度から撮影できる。
【００２３】
本願発明は以下のプラス効果を有する：伝統的なライブカメラに対して、本願発明は拭き装置を加え、ホコリの多い都会でも、カメラを拭くことができ、全時間帯において良き画質を維持でき、また、本願発明は水転化装置を通じて、ソーラーエネルギーによって空気中の水分を凝結させ、レンズを拭くのに使われる水に転化し、エネルギーの自給自足を可能にし、さらに、水分が十分に溜め込んた時、自動的に貯蔵を止め、エネルギーの浪費を避け、他にも、本願発明は遠心防水装置を通じて、遠心力を利用して雨天には、雨水を周囲に飛ばし、雨天においても正常に撮影できる。
【００２４】
以上に述べたのは本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【要約】
【課題】本願は智能型路上情報採集装置を開示した。
【解決手段】
本願は智能型路上情報採集装置を開示し、本体を含み、前記本体の中には貯水空間が設置され、前記貯水空間の左側にはファン空間が設置され、前記ファン空間と前記貯水空間とは入水空間によって連通され、前記ファン空間と前記貯水空間との間には水転化装置が設置され、伝統的なライブカメラに対して、本願発明は拭き装置を加え、ホコリの多い都会でも、カメラを拭くことができ、全時間帯において良き画質を維持でき、また、本願発明は水転化装置を通じて、ソーラーエネルギーによって空気中の水分を凝結させ、レンズを拭くのに使われる水に転化し、エネルギーの自給自足を可能にする。
【選択図】図１【図１】
0006808139.tif 000002
【図２】
0006808139.tif 000003
【図３】
0006808139.tif 000004
【図４】
0006808139.tif 000005